(57)【特許請求の範囲】
【請求項１】
ＳＣＡＲＴ規格に対応したＳＣＡＲＴ端子を含む複数の接続端子と、各前記接続端子に対応した信号入力経路を含む複数の信号入力経路のなかから、特定の信号入力経路を選択して切り換える入力切換手段とを備えた表示装置において、
前記ＳＣＡＲＴ端子に連動させる接続端子が予め設定され、
前記入力切換手段は、前記ＳＣＡＲＴ端子に連動させる接続端子に対応した信号入力経路が選択されているときに、前記ＳＣＡＲＴ端子に接続された外部機器において、ＳＣＡＲＴ規格に準拠したＳＬＯＷ−ＳＷ信号が所定のＨＩＧＨレベルからＬＯＷレベルに変化したことを検出した場合、前記選択されている信号入力経路の直前に選択されていた信号入力経路に切り換え、
前記外部機器のＳＬＯＷ−ＳＷ信号が所定のＬＯＷレベルからＨＩＧＨレベルに変化したことを検出したときに、前記ＳＣＡＲＴ端子に連動させる接続端子に対応した信号入力経路に切り換え、
前記表示装置は、前記入力切換手段により選択されている信号入力経路に接続された外部機器から、ホットプラグ信号を取得するホットプラグ信号取得手段と、
前記ホットプラグ信号の電圧変化のタイミングと前記ＳＬＯＷ−ＳＷ信号の電圧変化とのタイミングとが所定の時間差以内で検出された場合には、前記ホットプラグ信号を取得した信号入力経路に対応した接続端子を、前記ＳＣＡＲＴ端子に連動させる接続端子として自動設定する手段と、を有することを特徴とする表示装置。
【請求項２】
請求項１に記載の表示装置において、前記ＳＣＡＲＴ端子に連動させて設定する接続端子は、ＨＤＭＩ規格に対応した接続端子であることを特徴とする表示装置。
【請求項３】
請求項１または２に記載の表示装置において、ユーザによる操作入力を可能とする操作入力手段を有し、前記ＳＣＡＲＴ端子に連動させる接続端子を、前記操作入力手段に対する操作入力に従って設定可能としたことを特徴とする表示装置。
【請求項４】
請求項３に記載の表示装置において、前記ＳＣＡＲＴ端子に連動させる接続端子を設定する際に、前記直前に選択されていた信号入力経路に切り換える制御と、前記ＳＣＡＲＴ端子に連動している接続端子からの信号入力経路に切り換える制御とを、一括して、もしくはそれぞれ個別に有効／無効とする設定を可能としたことを特徴とする表示装置。
【発明の詳細な説明】
【技術分野】
【０００１】
本発明は、表示装置、より詳細には、外部入力の入力切換機能を有する表示装置に関する。
【背景技術】
【０００２】
例えば液晶テレビなどの表示装置においては、複数の外部機器の接続が可能な接続端子を備え、これらの接続端子に対応した各信号入力経路のなかから、特定の信号入力経路を選択して切り換える入力切換機能が備えられている。また液晶テレビでは、液晶テレビで受信される放送信号の入力経路も切換可能な信号入力経路に含まれている。
【０００３】
表示装置と外部機器とを接続する規格としては、例えばＨＤＭＩ（High Definition Multimedia Interface）規格があり、また主に欧州で普及している規格としてＳＣＡＲＴ（Syndicat des Constructeurs d'Appareils Radiorecepteurs et Televiseurs）がある。表示装置では、これらの規格に対応した接続端子を備え、所定の操作に従ってこれら接続端子に対応した信号入力経路を選択することができる。
【０００４】
特許文献１には、ビデオ信号とＲＧＢ信号を切り換えてモニターするテレビ受像機が記載されている。ここではＲＧＢ信号を内部信号から外部信号に切り換えるためのコントロール信号によって、輪郭補正用の速度変調回路の動作を切り換えている。
【特許文献１】特開昭６１−１６７２８０号公報
【発明の開示】
【発明が解決しようとする課題】
【０００５】
上記ＨＤＭＩ規格においては、当該規格によって定められているＣＥＣ（Consumer Electronics Control）メッセージを使用することによって、上記のような表示装置における入力切換を実行させることができる。ＨＤＭＩ規格に準拠するＨＤＭＩ端子を介して表示装置に接続された外部機器が、ＨＤＭＩ／ＣＥＣに対応した機器であれば、例えば外部機器の電源（本体電源）がＯＮにされたときに、入力経路を切り換えるためのＣＥＣメッセージが外部機器から表示装置に送信される。表示装置ではこれに応じて、ストリーム（入力信号）の入力経路を、当該外部機器からの経路に切り換える処理を自動的に実行する。
【０００６】
例えば、ＣＥＣ対応のＨＤＭＩ機器であるＤＶＤプレーヤと液晶テレビとを接続し、ＤＶＤプレーヤの電源をＯＮにした場合を考える。この場合、液晶テレビでは、ＤＶＤプレーヤからのＣＥＣメッセージに応じて、ＤＣＤプレーヤが接続された接続端子を経由する信号入力経路に自動で切り換える。その際、ユーザがリモコン等の操作入力手段を使用して液晶テレビの入力を切り換える操作を行う必要はなく、ＤＶＤプレーヤの電源ＯＮに応じて液晶テレビ側では自動的に当該ＤＶＤプレーヤからの入力経路に切り換える。
【０００７】
しかしながら、外部機器で電源をＯＦＦにしたときには、表示装置側ではＨＤＭＩを通じて入力切換を行うことがなく、表示装置で直前に使用していた信号入力経路に戻すことができなかった。例えば液晶テレビで放送受信波を視聴しているときに、ＨＤＭＩ接続されたＤＶＤレコーダの電源がＯＮになり、液晶テレビでＤＶＤレコーダからの信号入力経路に切り換えたものとする。この場合、ＤＶＤレコーダの電源がＯＦＦになっても、信号入力経路を元に戻すＣＥＣメッセージが規格上発行されることはなく、液晶テレビではＤＶＤレコーダからの信号入力経路のままとなる。つまりＨＤＭＩ機器の電源がＯＦＦになっても、表示装置側から信号の入力経路を自動的に切り換えることはできなかった。
【０００８】
このような場合には、ユーザは、リモコン等の操作入力手段を用いて液晶テレビの入力を切り換える操作を行って、元の放送受信波を視聴できるように切り換える必要があった。このような操作は、ユーザにとって煩雑であり、表示装置の快適な操作性を阻害する要因となっている。特許文献１には、このような課題に対して何ら記載されていない。
【０００９】
本発明は、上述のごとき実情に鑑みてなされたもので、外部機器からの信号入力経路が選択されているときに当該外部機器の電源がＯＦＦになった場合に、表示装置の入力設定を、選択中の入力経路からその直前に選択されていた入力経路に戻す処理を自動的に実行できるようにした表示装置を提供することを目的とする。
【課題を解決するための手段】
【００１０】
上記課題を解決するために、本発明の第１の技術手段は、ＳＣＡＲＴ規格に対応したＳＣＡＲＴ端子を含む複数の接続端子と、各接続端子に対応した信号入力経路を含む複数の信号入力経路のなかから、特定の信号入力経路を選択して切り換える入力切換手段とを備えた表示装置において、ＳＣＡＲＴ端子に連動させる接続端子が予め設定され、入力切換手段は、ＳＣＡＲＴ端子に連動させる接続端子に対応した信号入力経路が選択されているときに、ＳＣＡＲＴ端子に接続された外部機器において、ＳＣＡＲＴ規格に準拠したＳＬＯＷ−ＳＷ信号が所定のＨＩＧＨレベルからＬＯＷレベルに変化したことを検出した場合、選択されている信号入力経路の直前に選択されていた信号入力経路に切り換え、外部機器のＳＬＯＷ−ＳＷ信号が所定のＬＯＷレベルからＨＩＧＨレベルに変化したことを検出したときに、ＳＣＡＲＴ端子に連動させる接続端子に対応した信号入力経路に切り換え、表示装置は、入力切換手段により選択されている信号入力経路に接続された外部機器から、ホットプラグ信号を取得するホットプラグ信号取得手段と、ホットプラグ信号の電圧変化のタイミングと前記ＳＬＯＷ−ＳＷ信号の電圧変化とのタイミングとが所定の時間差以内で検出された場合には、ホットプラグ信号を取得した信号入力経路に対応した接続端子を、ＳＣＡＲＴ端子に連動させる接続端子として自動設定する手段と、を有することを特徴としたものである。
【００１２】
第２の技術手段は、第１の技術手段において、ＳＣＡＲＴ端子に連動させて設定する接続端子は、ＨＤＭＩ規格に対応した接続端子であることを特徴としたものである。
【００１３】
第３の技術手段は、第１または第２の技術手段において、ユーザによる操作入力を可能とする操作入力手段を有し、ＳＣＡＲＴ端子に連動させる接続端子を、操作入力手段に対する操作入力に従って設定可能としたことを特徴としたものである。
【００１４】
第４の技術手段は、第３の技術手段において、ＳＣＡＲＴ端子に連動させる接続端子を設定する際に、直前に選択されていた信号入力経路に切り換える制御と、ＳＣＡＲＴ端子に連動している接続端子からの信号入力経路に切り換える制御とを、一括して、もしくはそれぞれ個別に有効／無効とする設定を可能としたことを特徴としたものである。
【発明の効果】
【００１６】
本発明によれば、外部機器からの信号入力経路が選択されているときに当該外部機器の電源がＯＦＦなった場合に、表示装置の入力設定を、選択中の信号入力経路からその直前に選択されていた信号入力経路に戻す処理を自動的に実行することができ、これによりユーザ操作が減ってユーザに対して快適な操作性を提供することができるようになる。
またＨＤＭＩとＳＣＡＲＴを併用する構成により、ＳＣＡＲＴのＳＬＯＷ−ＳＷ信号の検出結果に従って映像品位の良好なＨＤＭＩの経路を選択することができ、ＳＬＯＷ−ＳＷ信号が変化すれば、このＨＤＭＩの信号入力経路から、直前に選択されていた信号入力経路に戻すことができる。またＨＤＭＩとＳＣＡＲＴとの連動設定をユーザ操作により、もしくは自動設定により行うことができるので、ユーザに対する利便性を提供することができる。
【発明を実施するための最良の形態】
【００１７】
本発明に係る実施形態では、ＡＶ機器間で映像／音声信号を伝送できるＳＣＡＲＴ規格のＳＬＯＷ−ＳＷを使用し、このＳＬＯＷ−ＳＷ信号の電圧値を用いて表示装置への信号入力経路を直前の信号入力経路に切り換えるように制御する。また、ＳＬＯＷ−ＳＷ信号の電圧値を用いて、所定の信号入力経路に切り換える制御も実行する。この場合、ＳＣＡＲＴ端子に連動させる接続端子を予め設定し、連動設定した接続端子の信号入力経路に対して上記の制御を実行する。また、本実施形態では、ＳＣＡＲＴ端子に連動させる接続端子としてＨＤＭＩ端子を用い、デジタル信号はＨＤＭＩ端子を経由して外部機器から表示装置に入力させるとともに、直前の入力に切り換える制御、及び所定の信号入力経路に切り換える制御をＳＬＯＷ−ＳＷを用いて行うようにする。
【００１８】
図１は、本発明が適用される表示装置１１の主要な構成を示すブロック図で、表示装置の映像処理及び表示部分の構成を主に示すものである。
本実施形態の表示装置１は、外部機器を接続する接続端子として、５つの接続端子を備えているものとする。ここでは、第１及び第２の接続端子には、ＳＣＡＲＴ端子が使用される。また、第３の接続端子にはＳ端子とビデオ端子とが使用され、いずれかの端子からの入力が可能となっている。さらに、第４及び第５の接続端子には、ＨＤＭＩ端子が使用される。これら接続端子にそれぞれ対応する信号入力経路として、ＥＸＴ１〜ＥＸＴ５が割り当てられている。
【００１９】
ＥＸＴ１，ＥＸＴ２に対応するＳＣＡＲＴ端子、及びＥＸＴ３に対応するＳ端子またはビデオ端子からは、アナログの映像／音声信号が入力される。一方、ＥＸＴ４，ＥＸＴ５に対応するＨＤＭＩ端子からはデジタルの映像／音声信号が入力される。なおＨＤＭＩ端子に接続されるＨＤＭＩケーブルは、ＨＤＭＩ規格に基づく制御コマンドであるＣＥＣ伝送バスを含んでいて、表示装置１では、ＨＤＭＩ／ＣＥＣ対応の外部機器との間でＣＥＣメッセージの送受信が可能となっている。
【００２０】
映像セレクタ（デジタル）１１には、ＥＸＴ４及びＥＸＴ５に対応したＨＤＭＩ端子が接続され、これらのＨＤＭＩ端子に入力するデジタルの映像／音声信号が選択される。また映像セレクタ（アナログ）１２には、ＥＸＴ１〜３に対応したＳＣＡＲＴ端子、及びＳ端子／ビデオ端子が接続され、これらの接続端子に入力するアナログの映像／音声信号が選択される。
【００２１】
ＣＰＵ１４は、表示装置１の各部を制御するもので、図示しないリモコン等の操作入力手段からの操作入力情報を受け、その操作内容が反映されるように各部をそれぞれ制御する。ユーザは、これら操作入力手段を操作し、表示装置１のディスプレイ１５に入力切換メニューを表示させ、そのなかから任意の入力（入力経路）を選択することができる。ＣＰＵ１４はその選択に従ってＥＸＴ１〜５のいずれかの入力経路に対応する接続端子から映像／音声信号の入力を可能とするように映像セレクタ（デジタル）１１、及び映像セレクタ（アナログ）１２を制御する。
【００２２】
また、本実施形態の表示装置１は、テレビジョン受信機として構成することができる。この場合、表示装置１は、図示しないチューナ部を備え、アンテナで受信されたテレビジョン放送信号から所定のチャンネル信号が取り出され、映像信号と音声信号とが復元されてそれぞれデジタル・アナログに応じていずれかの映像セレクタ１１，１２に入力する。この場合、ユーザは、入力切換メニューによって、テレビジョン放送信号が入力する信号入力経路と、ＥＸＴ１〜５に対応した外部機器からの信号入力経路とのいずれかを選択することができる。本実施形態における入力切換は、これらの信号入力経路の全てを対象とするものである。
【００２３】
ＣＰＵ１４は、ＨＤＭＩケーブルから入力されるＣＥＣメッセージに従って、ＥＸＴ４，５の入力切換を行う。例えばＥＸＴ４のＨＤＭＩ端子に接続された外部機器の電源がＯＮにされ、当該外部機器から所定のＣＥＣメッセージが送信されたとき、表示装置１から出力される映像／音声信号の入力経路がＥＸＴ４以外の入力経路に選択されていた場合、ＣＰＵ１４の制御によってその外部機器を接続するＥＸＴ４の信号入力経路に切り換えられる。この他にも外部機器から信号入力経路の切換を指示するＣＥＣメッセージが入力した場合、ＣＰＵ１４ではそれらのＣＥＣメッセージに応じて適宜入力切換制御を実行することができる。
【００２４】
また、ＥＸＴ１，ＥＸＴ２に対応する信号入力経路では、ＳＣＡＲＴ端子のＳＬＯＷ−ＳＷを使用して、現在選択されている信号入力経路の直前に選択されていた信号入力経路に戻す制御を行うことができる。この場合、ＳＣＡＲＴ端子に連動させた接続端子の信号入力経路が対象となる。表示装置１のＣＰＵ１４は、ポーリングによって外部機器のＳＬＯＷ−ＳＷを定期的に監視し、取得されたＳＬＯＷ−ＳＷ信号の電圧がＨＩＧＨ（所定のＨＩＧＨレベル）になればその外部機器からの信号入力経路に切り換える制御を行い、ＬＯＷ（所定のＬＯＷレベル）になれば直前の信号入力経路に戻す制御を行う。
本発明に係る実施形態では、このようなＳＬＯＷ−ＳＷの機能を利用して、ＣＰＵ１４は、接続された外部機器のＳＬＯＷ−ＳＷ信号の電圧がＨＩＧＨになれば、ＳＣＡＲＴ端子に連動させる接続端子の信号入力経路（例えば、ＨＤＭＩ端子の信号入力経路）に切り換える。これらの動作の詳細については後述する。
【００２５】
映像セレクタ１１，１２によって選択された入力映像信号は、映像処理チップ１３で所定の映像処理が施されてディスプレイ１５に表示される。また、選択された信号入力経路の接続端子から入力した音声信号もしくは選択された放送受信波に含まれる音声信号は、図示しない音声処理部によって音声処理されスピーカによって音声出力される。
【００２６】
図２は、本発明の表示装置における入力切換処理をさらに具体的に説明するための図である。ここでは、上記図１の構成を備える表示装置１に対して、ＨＤＭＩ／ＣＥＣとＳＣＡＲＴに対応した外部機器（例えばＤＶＤプレーヤ）２が接続されている構成を考える。この場合、表示装置１のＳＣＡＲＴ端子（ＥＸＴ１）と、外部機器２のＳＣＡＲＴ端子とを接続するとともに、表示装置１のＨＤＭＩ端子（ＥＸＴ４）と、外部機器２のＨＤＭＩ端子とを接続しておく。そして、表示装置のＳＣＡＲＴ端子（ＥＸＴ１）とＨＤＭＩ端子（ＥＸＴ４）とは、予め連動させるように設定される。
【００２７】
表示装置１のＣＰＵ１４は、ＳＣＡＲＴ端子を介して外部機器２のＳＬＯＷ−ＳＷを監視し、外部機器２から取得されるＳＬＯＷ−ＳＷ信号の電圧がＬＯＷからＨＩＧＨに変化したときに、ＨＤＭＩ端子（ＥＸＴ４）の信号入力経路に切り換える。
つまり、この状態で表示装置１には、ＨＤＭＩ端子を介したデジタル信号と、ＳＣＡＲＴ端子を介したアナログ信号が入力可能となっている。そして、表示装置１のＣＰＵ１４は、ＳＬＯＷ−ＳＷ信号の電圧がＬＯＷからＨＩＧＨに変化したときに、従来であればＳＣＡＲＴによるアナログの信号入力経路（ＥＸＴ１）に入力切換を行っていたが、本発明に係る実施形態では、ＨＤＭＩ端子（ＥＸＴ４）に入力を切り換えて映像品位の高いデジタル信号を入力させるようにする。
【００２８】
なお、上記のようにＳＬＯＷ−ＳＷがＬＯＷからＨＩＧＨに変化したときに、ＨＤＭＩ端子の信号入力経路に切り換える制御は必須ではなく、例えば他のＳＣＡＲＴ端子の信号入力経路に切り換えるように予め定めておくようにしてもよい。いずれにしても、表示装置１のＣＰＵ１４は、ＳＬＯＷ−ＳＷがＬＯＷからＨＩＧＨに変化したときに、予め連動させて設定された接続端子の信号入力経路に切り換える処理を実行する。
【００２９】
また、この場合、ＨＤＭＩとＳＣＡＲＴとの両方で表示装置１と外部機器２とが接続されているため、例えば外部機器２の電源がＯＮになったときに経路切換を指示するＣＥＣメッセージが表示装置１に送信される場合には、そのＣＥＣメッセージでＥＸＴ４に信号入力経路が切り換えられる。
このような場合に対応するため、経路切換を指示するＣＥＣメッセージと、ＳＬＯＷ−ＳＷとの関係を予め定めておいてもよい。例えば、表示装置１でＳＬＯＷ−ＳＷ信号の電圧変化よりも先にＣＥＣメッセージが取得された場合、ＣＥＣメッセージに従って信号入力経路の切換を行って、その後ＳＬＯＷ−ＳＷの電圧変化を検知してもそのままの信号入力経路を維持するように定めておく。あるいは、経路切換を指示するＣＥＣメッセージは無視して、ＳＬＯＷ−ＳＷの電圧がＬＯＷからＨＩＧＨになったときに信号入力経路を切り換えるように定めておいてもよい。
【００３０】
そして、表示装置１のＣＰＵ１４は、ＳＬＯＷ−ＳＷ信号の電圧がＬＯＷからＨＩＧＨに変化することで信号入力経路を切り換えた後、ＳＬＯＷ−ＳＷ信号の電圧が再度ＨＩＧＨからＬＯＷに変化した場合には、直前に選択していた信号入力経路に切り換える制御を行う。
一例として、上記図１の構成において表示装置１でＥＸＴ２の信号入力経路が選択されているときに、ＥＸＴ１のＬＯＷ−ＳＷ信号の電圧がＬＯＷからＨＩＧＨに変化したことをＣＰＵ１４が検知した場合には、ＣＰＵ１４は、予め定めたＥＸＴ４の信号入力経路に切り換える制御を行う。そして、再びＥＸＴ１のＳＬＯＷ−ＳＷ信号の電圧がＨＩＧＨからＬＯＷに変化したときには、ＣＰＵ１４は、直前に選択していたＥＸＴ２の信号入力経路に戻す制御を行う。これにより、従来ＨＤＭＩの入力信号を視聴できるようにした表示装置で実行できなかった信号入力経路を戻す処理をＳＣＲＡＴのＳＬＯＷ−ＳＷを用いて実行することができるようになる。図２の例では、表示装置１に接続した外部機器（ＤＶＤプレーヤ）２の電源をＯＮにすることで表示装置の信号入力経路をＤＶＤプレーヤからの経路に切り換えた後、ＤＶＤプレーヤの電源がＯＦＦなったときに、当該ＤＶＤプレーヤからの信号入力経路の直前に選択されていた信号入力経路に戻すことができる。
【００３１】
このとき、ＳＣＡＲＴに対応した外部機器では、一般に電源がＯＮになったときにＳＬＯＷ−ＳＷの電圧がＬＯＷからＨＩＧＨに変化し、電源がＯＦＦになったときにＳＬＯＷ−ＳＷの電圧がＬＯＷに戻ることになっている。ただし機器によっては、再生機器で再生が始まったときにＳＬＯＷ−ＳＷの電圧がＬＯＷからＨＩＧＨに変化するものものある。このような場合でも、本発明に係る実施形態では、表示装置１側からＳＣＡＲＴのＳＬＯＷ−ＳＷを監視し、その状態変化に応じて入力切換を行うように制御することができる。
【００３２】
上記のような制御を行う場合に、表示装置１では、ＳＣＡＲＴ端子に接続された外部機器と、ＨＤＭＩ端子に接続された外部機器とが同じ外部機器であることを認識し、ＳＬＯＷ−ＳＷ信号を取得するＳＣＡＲＴ端子と、そのＳＬＯＷ−ＳＷ信号の電圧変化に応じて入力切換を行うＨＤＭＩ端子とを予め連動するように設定しておく必要がある。そうしないと、ＳＬＯＷ−ＳＷの状態が切り換わったときに、異なる外部機器に接続された信号入力経路に切り換えてしまうおそれが生じる。
【００３３】
図３は、ＨＤＭＩ端子とＳＣＡＲＴ端子の信号入力経路を連動させる設定を行うためのメニュー表示の一例を示す図である。表示装置１では、図３に示すようなメニュー２０を予め用意しておき、リモコン等の操作入力手段による所定のユーザ操作に応じて、ディスプレイ１５にメニュー２０を表示させる。メニュー２０には、表示装置１が備えるＨＤＭＩ端子の一覧表示部２１と、ＳＣＡＲＴ端子の連動設定部２２とが設けられている。
【００３４】
この例では、ＨＤＭＩ端子の一覧表示部２１には、ＥＸＴ４とＥＸＴ５のＨＤＭＩ端子が表示され、ユーザは、リモコン等の操作入力手段を用いていずれかのＨＤＭＩ端子を選択することができる。また、ＳＣＡＲＴ端子の連動設定部２２には、“どのＨＤＭＩ端子とＳＣＲＡＴ端子を連動させますか”との表示が行われ、ユーザが選択したＨＤＭＩ端子に対して連動させるＳＣＡＲＴ端子を選択することができる。
連動設定は、ＳＣＡＲＴ端子に接続する外部機器と、ＨＤＭＩ端子に接続する外部機器とが同一の外部機器であるとみなして制御を行うために、ＳＣＲＡＴ端子に対応するＨＤＭＩ端子を予め設定しておくものであり、連動を設定しておくことにより、ＳＬＯＷ−ＳＷ信号の電圧変化に応じて入力切換を行うときの対象の信号入力経路が定められる。
【００３５】
本例の連動設定部２２には、選択したＨＤＭＩ端子に対していずれのＳＣＡＲＴ端子も連動させない“ＯＦＦ”と、選択したＨＤＭＩ端子に対してＥＸＴ１のＳＣＡＲＴ端子を連動させる“ＥＸＴ１”と、選択したＨＤＭＩ端子に対してＥＸＴ２のＳＣＡＲＴ端子を連動させる“ＥＸＴ２”とがユーザ選択可能に表示されている。
【００３６】
このような連動設定を用いて、表示装置１では、監視しているＳＣＡＲＴ端子に接続された外部機器のＳＬＯＷ−ＳＷ信号の電圧がＬＯＷからＨＩＧＨになったときに、そのＳＣＡＲＴ端子に連動設定されているＨＤＭＩ端子の入力信号経路に入力切換を行う。これにより予めなされた連動設定に従って、ＳＬＯＷ−ＳＷの変化を検出した外部機器からの信号入力経路に確実に切り換えることができる。また、連動設定を“ＯＦＦ”にすることで、ＳＬＯＷ−ＳＷ信号の電圧変化があっても信号入力経路の切換を行わないような設定も可能である。
【００３７】
図４は、ＨＤＭＩ端子とＳＣＡＲＴ端子とを連動させる設定を行うためのメニュー表示の他の例を示す図である。本例のメニュー３０は、図３と同様に、表示装置１が備えるＨＤＭＩ端子の一覧表示部３１と、ＳＣＡＲＴ端子の連動設定部３２とが設けられている。ＨＤＭＩ端子の一覧表示部２１には、ＥＸＴ４とＥＸＴ５のＨＤＭＩ端子が表示され、ユーザは、リモコン等の操作入力手段を用いていずれかのＨＤＭＩ端子を選択することができる。
【００３８】
ＳＣＡＲＴ端子の連動設定部３２には、“どのＨＤＭＩ端子とＳＣＲＡＴ端子を連動させますか”との表示が行われ、ユーザが選択したＨＤＭＩ端子に対して連動させるＳＣＡＲＴ端子を選択することができる。そして、本例の連動設定部３２は、選択したＨＤＭＩ端子に対していずれのＳＣＡＲＴ端子も連動させない“ＯＦＦ”と、選択したＨＤＭＩ端子に対してＥＸＴ１のＳＣＡＲＴ端子を連動させる“ＥＸＴ１”と、選択したＨＤＭＩ端子に対してＥＸＴ２のＳＣＡＲＴ端子を連動させる“ＥＸＴ２”とがユーザ選択可能に表示されている。そしてさらに、図３の例と異なり、ＥＸＴ１とＥＸＴ２のそれぞれについて、さらに電源ＯＮのときのみに連動させる“ＥＸＴ１（または２）電源ＯＮのみ”と、電源ＯＦＦ“のときのみに連動させる”ＥＸＴ２（または２）電源ＯＮのみ”とが表示され、ユーザ選択が可能となっている。
【００３９】
ユーザが、選択したＨＤＭＩ端子とＳＣＡＲＴ端子とを電源ＯＮ／ＯＦＦのいずれの場合にも連動させたい場合には、連動設定部３２において“ＥＸＴ１”または“ＥＸＴ２”を選択すればよく、外部機器の電源ＯＮまたはＯＦＦのいずれかのときにのみ連動させたい場合には、それに該当する設定表示を選択すればよい。
【００４０】
電源ＯＮのときにのみ連動させるとは、外部機器の電源がＯＮになって、当該外部機器のＳＬＯＷ−ＳＷ信号の電圧がＨＩＧＨになった場合に、連動設定された接続端子の信号入力経路に入力切り換える制御を行い、かつ外部機器の電願がＯＦＦになって、当該外部機器のＳＬＯＷ−ＳＷ信号の電圧がＬＯＷになった場合には、直前の信号入力経路に戻す制御を行わずに、そのままの信号入力経路を維持することを意味する。
一方、電源ＯＦＦのときにのみ連動させるとは、外部機器の電源がＯＮになって、当該外部機器のＳＬＯＷ−ＳＷ信号の電圧がＨＩＧＨになっても信号入力経路の切換は行わずにそのままの信号入力経路を維持し、かつ外部機器の電願がＯＦＦになって、当該外部機器のＳＬＯＷ−ＳＷ信号の電圧がＬＯＷになった場合には、直前の信号入力経路に戻す制御を行うことを意味する。
【００４１】
図３及び図４に示すような連動設定用のメニューを用いることにより、ＳＣＡＲＴ端子に連動させる接続端子を設定する際に、直前に選択されていた信号入力経路に切り換える制御と、ＳＣＡＲＴ端子に連動している接続端子からの信号入力経路に切り換える制御とを、一括して、もしくはそれぞれ個別に有効／無効とする設定を可能とすることができる。
【００４２】
図５は、ＨＤＭＩ端子とＳＣＡＲＴ端子とを連動させる設定を行うためのメニュー表示の更に他の例を示す図である。
本例では、表示装置では所定のユーザ操作に従って、図５に示す連動設定用のメニュー４０を表示させることができる。ここでは、ユーザは自動連動設定処理を行うか否か、つまり連動設定の“ＹＥＳ”または“ＮＯ”を選択することができる。“ＹＥＳ”が選択されると、表示装置では自動連動設定処理を開始する。
【００４３】
図６は、自動連動設定処理を実行するための回路の一例を示す図である。ＳＬＯＷ−ＳＷ信号は、上述のように表示装置からのポーリングに応じて外部機器側から出力されるものである。つまり、表示装置に接続された外部機器の電源ＯＮ／ＯＦＦにより変化するＳＬＯＷ−ＳＷ信号の電圧を表示装置で検出する。
一方、Ｈｏｔ Ｐｌｕｇ信号は、表示装置側で電圧を設定すると、外部機器側からその応答として電圧を返すもので、表示装置でこの電圧を検出して外部機器が接続されていることを確認するようにしたものである。Ｈｏｔ Ｐｌｕｇの電圧Vは、表示装置で設定する必要があり、入力切換を行ったときに、その切換先の入力に対してＨｏｔ Ｐｌｕｇの電圧を設定する。
【００４４】
例えばＥＸＴ４の信号入力経路に入力切換を行ったときに、表示装置では、ＥＸＴ４の信号入力経路にのみＨｏｔ Ｐｌｕｇの電圧を設定し、他の入力ではその電圧を０Ｖにしておく。これに対してＥＸＴ４のＨＤＭＩ端子に接続されている外部機器が、その応答として電圧を返すことにより、表示装置では、ＥＸＴ４のＨＤＭＩ端子に外部機器が接続されていることを知ることができる。ここで外部機器の電源がＯＦＦの場合には、電源がＯＮになったときにＨｏｔ Ｐｌｕｇ信号が表示装置に返される。
【００４５】
そしてこれらＳＬＯＷ−ＳＷ信号と、Ｈｏｔ Ｐｌｕｇ信号との変化のタイミングから、ＳＣＡＲＴ端子に接続されている外部機器と、入力切換されたＨＤＭＩ端子に接続された外部機器とが同一の機器であるかを確認することができる。
図７は、外部機器側で変化するＳＬＯＷ−ＳＷ信号の変化のタイミングと、表示装置で設定するＨｏｔ Ｐｌｕｇ信号の変化のタイミングとの一例を示している。上述のようにＳＣＡＲＴ端子に接続されている外部機器は、その電源がＯＮになったときに、ＳＬＯＷ−ＳＷ信号の電圧がＬＯＷからＨＩＧＨに変化し、また入力切換により選択されている接続端子に接続された外部機器においても、電源がＯＮになったときにＨｏｔ Ｐｌｕｇ信号の電圧が上がる。
【００４６】
従ってこれらの電圧変化のタイミングが所定の時間差以内にあれば、同一機器の電源ＯＮに伴う電圧変化であるものと判断できる。この所定の時間差を例えば１００ｍｓｅｃとすることで、１００ｍｓｅｃ以下の時間差でこれらの電圧変化があれば、同一機器であるものと判断することができる。図７の例では、ＳＬＯＷ−ＳＷの電圧変化のタイミングと、Ｈｏｔ Ｐｌｕｇの電圧変化のタイミングとの時間差は７６ｍｓｅｃである。従って、これらの信号を検出した外部機器は、同一の機器であるものと判断できる。
【００４７】
そして、ＳＣＡＲＴに連動させるべき信号入力経路のそれぞれについて、上記の検出処理を行えば、同一機器に接続されるＳＣＡＲＴ端子とＨＤＭＩ端子とを判別することができ、これらの端子を連動させて設定しておけば、上記の手動設定と同様の制御を実行させることができる。
なお、本機能を精度良く実現するためには、Ｈｏｔ Ｐｌｕｇ信号を検出するために表示装置１に設定する電圧は、全てのＨＤＭＩ端子について所定の同じ電圧（例えば３．３Ｖ）に設定しておくことが好ましい。
【００４８】
図８は、本発明に係る表示装置における入力切換の制御例を説明するためのフローチャートである。表示装置の一例であるテレビを視聴しているときに（ステップＳ１）、テレビのＳＣＡＲＴ端子に接続されている外部機器のＳＬＯＷ−ＳＷ信号がＬＯＷからＨＩＧＨに変化したかどうかを判別する（ステップＳ２）。ここでＳＬＯＷ−ＳＷ信号がＬＯＷからＨＩＧＨに変化した場合に、予め連動させて設定しておいたＨＤＭＩ端子（例えばＥＸＴ４）の信号入力経路に入力を切り換える（ステップＳ３）。
【００４９】
図９は、本発明に係る表示装置における入力切換の他の制御例を説明するためのフローチャートである。表示装置の一例であるテレビにてＨＤＭＩ端子への入力（例えばＥＸＴ４）を視聴しているときに（ステップＳ１１）、テレビのＳＣＡＲＴ端子に接続されている外部機器のＳＬＯＷ−ＳＷ信号がＨＩＧＨからＬＯＷに変化したかどうかを判別する（ステップＳ１２）。ここでＳＬＯＷ−ＳＷ信号がＨＩＧＨからＬＯＷに変化した場合に、直前に選択されていた信号入力経路（例えばテレビ）の信号入力経路に切り換える（ステップＳ１３）。
【図面の簡単な説明】
【００５０】
【図１】本発明が適用される表示装置の主要な構成を示すブロック図である。
【図２】本発明の表示装置における入力切換処理をさらに具体的に説明するための図である。
【図３】ＨＤＭＩ端子とＳＣＡＲＴ端子の信号入力経路を連動させる設定を行うためのメニュー表示の一例を示す図である。
【図４】ＨＤＭＩ端子とＳＣＡＲＴ端子とを連動させる設定を行うためのメニュー表示の他の例を示す図である。
【図５】ＨＤＭＩ端子とＳＣＡＲＴ端子とを連動させる設定を行うためのメニュー表示の更に他の例を示す図である。
【図６】自動連動設定処理を実行するための回路の一例を示す図である。
【図７】外部機器側で変化するＳＬＯＷ−ＳＷ信号の変化のタイミングと、表示装置で設定するＨｏｔ Ｐｌｕｇ信号の変化のタイミングとの一例を示す図である。
【図８】本発明に係る表示装置における入力切換の制御例を説明するためのフローチャートである。
【図９】本発明に係る表示装置における入力切換の他の制御例を説明するためのフローチャートである。
【符号の説明】
【００５１】
１…表示装置、２…外部機器、１１，１２…映像セレクタ、１３…映像処理チップ、１４…ＣＰＵ、１５…ディスプレイ、２０…メニュー、２１…一覧表示部、２２…連動設定部、３１…一覧表示部、３２…連動設定部、４０…メニュー。
【図１】
0005060329.tif 000002
【図２】
0005060329.tif 000003
【図３】
0005060329.tif 000004
【図４】
0005060329.tif 000005
【図５】
0005060329.tif 000006
【図６】
0005060329.tif 000007
【図７】
0005060329.tif 000008
【図８】
0005060329.tif 000009
【図９】
0005060329.tif 000010